(57)【要約】【課題】配線コードを配線挿入口に通す際に、配線コードが破損し難い遊技機用配線保持構造を提供する。【解決手段】保持板面上に設けられた配線保持部を一側から他側に跨ぐように突出して、配線コードＸを配線保持部に保持するとともに、配線保持部の他側に、配線コードＸを配線保持部に挿入するための配線挿入口２２を形成する保持片１８を具備する遊技機用配線保持構造にあって、保持片１８の側縁の、保持板面側の角部４６ａを階段状にする。かかる構成によれば、配線コードＸを配線挿入口２２に通す際に、配線コードＸが保持片１８と強く当接したとしても、保持片１８の角部４６ａと配線コードＸが複数箇所で当接して配線コードＸに加わる負荷が分散するため、角部４６ａとの当接により配線コードＸの被覆が破れるのを防止できる。【選択図】図１０
2018093971.tif 000002
【特許請求の範囲】
【請求項１】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持片の側縁の少なくとも一部には、前記保持板面側に階段状の角部が形成されていることを特徴とする遊技機用配線保持構造。
【請求項２】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持片の側縁の少なくとも一部は、前記保持板面側の角部がアール形状をなしていることを特徴とする遊技機用配線保持構造。
【請求項３】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持片の側縁の少なくとも一部は、前記保持板面側の角部が面取りされていることを特徴とする遊技機用配線保持構造。
【請求項４】
複数本の前記配線コードを前記配線保持部に保持するよう構成されたものであって、
前記配線挿入口は、常態で、前記配線コードの直径未満の所定幅を有し、かつ、前記保持片の側縁に沿って、該配線コードの直径の２倍以上の長さ連続するスリット状をなしており、
前記保持片を前記保持板面から離間する方向に撓ませることにより、前記配線挿入口を前記配線コードの直径以上の幅に拡幅させ得るよう構成されていることを特徴とする請求項１乃至請求項３のいずれか１項に記載の遊技機用配線保持構造。
【発明の詳細な説明】
【技術分野】
【０００１】
本発明は、例えばパチンコ機やスロットマシンなどの遊技機において、配線コードを筐体内部や機裏の所定位置で保持するための遊技機用配線保持構造に関する。
【背景技術】
【０００２】
従来、スロットマシンなどの筐体内部やパチンコ機の機裏には、電気部材（スイッチ類又はＬＥＤ等の発光体）や制御基板が多数搭載されており、これに伴い、いわゆる配線コード（電源コードやハーネスを含む）が多数配されている。このような配線コードが纏まりなく無秩序に配されていると、配線コード同士が干渉して擦れ合ったり絡まったりする場合があり、また、制御基板のメンテナンス作業が煩雑となって配線に手間がかかったり、あるいは断線や破損などの思わぬ故障を招いたりする。このため、筐体内部や機裏の保持板面に配線を保持しておくための遊技機用配線保持構造（以下、単に「配線保持構造」ともいう。）が提案されている。
【０００３】
例えば、図１９に示すように、保持板面５０上の配線保持部１５０を一側から他側に跨ぐように保持片１８０を配設して、該保持片１８０によって配線コードＸを配線保持部１５０に保持する配線保持構造が知られている（例えば、特許文献１）。かかる配線保持構造では、配線保持部１５０の側方に形成した狭幅な配線挿入口２２０から、配線コードＸを配線保持部１５０に挿入するよう構成される。
【先行技術文献】
【特許文献】
【０００４】
【特許文献１】特開２００１−０５４６６６号公報  図１０
【発明の概要】
【発明が解決しようとする課題】
【０００５】
ところで、上述した従来の配線保持構造では、図２０に示すように、配線コードＸを狭幅な配線挿入口２２０に通す際に、配線コードＸが保持片１８０の角部４６０と当接することとなる。ここで、かかる従来の配線保持構造では、保持片１８０の側縁の角部４６０が直角に角張っているため、作業者が配線コードＸを強く保持片１８０の角部４６０に押し当てた場合に、当該角部４６０で配線コードＸの被覆が破損してしまうおそれがある。
【０００６】
本願はかかる現状に鑑みてなされたものであり、配線コードを配線挿入口に通す際に、配線コードが破損し難い遊技機用配線保持構造の提供を目的とする。
【課題を解決するための手段】
【０００７】
本発明の第１の態様は、遊技機の内部又は裏側の所定の保持板面上に設けられた配線保持部に配線コードを保持するための遊技機用配線保持構造であって、前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、前記保持片の側縁の少なくとも一部は、前記保持板面側の角部がアール形状をなしていることを特徴とする遊技機用配線保持構造である。かかる構成にあっては、配線コードが保持片のアール形状をなす角部に当接した際に、両者の当接する面積が従来構成に比べて広くなるため、配線コードの被覆に加わる負荷が従来構成に比べて分散される。このため、かかる遊技機用配線保持構造は、配線コードを配線挿入口に通す際に、配線コードが保持片の角部に強く当接したとしても、配線コードの被覆が破れ難いという利点がある。
【０００８】
本発明の第２の態様は、遊技機の内部又は裏側の所定の保持板面上に設けられた配線保持部に配線コードを保持するための遊技機用配線保持構造であって、前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、前記保持片の側縁の少なくとも一部は、前記保持板面側の角部が面取りされていることを特徴とする遊技機用配線保持構造である。かかる構成にあっては、配線コードが保持片の角部に当接した際に、配線コードは面取りによって角部に形成された斜面と当接するため、配線コードと角部の当接する面積が従来構成に比べて広くなる。したがって、かかる構成にあっても、配線コードの被覆に加わる負荷が従来構成に比べて分散される。このため、かかる遊技機用配線保持構造は、配線コードを配線挿入口に通す際に、配線コードが保持片の角部に強く当接したとしても、配線コードの被覆が破れ難いという利点がある。
【０００９】
本発明の第３の態様は、遊技機の内部又は裏側の所定の保持板面上に設けられた配線保持部に配線コードを保持するための遊技機用配線保持構造であって、前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、前記保持片の側縁の少なくとも一部には、前記保持板面側に階段状の角部が形成されていることを特徴とする遊技機用配線保持構造である。
【００１０】
かかる構成にあっては、保持片の側縁の保持板面側の角部が階段状となって、当該角部に複数段の角が形成されるため、配線コードが当該角部と当接した時に、配線コードは当該角部と複数箇所で当接することとなり、配線コードの被覆に加わる負荷が分散される。したがって、かかる遊技機用配線保持構造にあっても、配線コードを配線挿入口に通す際に、配線コードが保持片の角部に強く当接したとしても、配線コードの被覆が破れ難いという利点がある。さらに言えば、上述の第１の態様や第２の態様では、配線コードの被覆の破損を防止可能となるが、配線コードと角部が１箇所で当接するため、配線コードを配線挿入口に通す際に、角部との摩擦によって配線コードがねじれて断線することが懸念される。これに対して、かかる第３の態様は、配線コードと保持片の角部を複数箇所で当接させるため、配線コードを配線挿入口に通す際に、配線コードがねじれ難く、配線コードが断線するおそれがない。
【００１１】
本発明の遊技機用配線保持構造が、複数本の前記配線コードを前記配線保持部に保持するよう構成されたものである場合には、複数本の前記配線コードを前記配線保持部に保持するよう構成されたものであって、前記配線挿入口は、常態で、前記配線コードの直径未満の所定幅を有し、かつ、前記保持片の側縁に沿って、該配線コードの直径の２倍以上の長さ連続するスリット状をなしており、前記保持片を前記保持板面から離間する方向に撓ませることにより、前記配線挿入口を前記配線コードの直径以上の幅に拡幅させ得るよう構成されていることが提案される。
【００１２】
かかる構成のように、配線挿入口をスリット状とした場合には、先の配線コードが拡幅状態の配線挿入口を通過し終える前に、次の配線コードを配線挿入口に進入させてリブと保持片の間に挟むことによって、先の配線コードが通過し終えた後に配線挿入口が常態に戻るのを阻止することができる。このため、かかる構成によれば、配線挿入口を常態から何度も拡幅させることなく、配線挿入口に複数本の配線コードを効率的に通すことが可能となる。
【図面の簡単な説明】
【００１３】
【図１】実施例１のリールユニット１の斜視図である。
【図２】実施例１の配線保持構造の斜視図である。
【図３】実施例１の配線保持構造を、天板５を縦断して示す右側面図である。
【図４】実施例１の配線保持構造にあって、配線コードＸを配線保持部１５に挿入する手順を示す説明図である。
【図５】図３中の、（ａ）Ａ−Ａ線断面図、（ｂ）Ｂ−Ｂ線断面図、（ｃ）Ｃ−Ｃ線断面図である。
【図６】実施例１の配線保持構造にあって、配線コードＸを配線挿入口２２に通す時の、配線コードＸと保持片１８との当接態様を示す説明図である。
【図７】実施例２の配線保持構造にあって、配線コードＸを配線挿入口２２に通す時の、配線コードＸと保持片１８との当接態様を示す説明図である。
【図８】実施例３の配線保持構造を、天板５を縦断して示す右側面図である。
【図９】図８中の、（ａ）Ａ−Ａ線断面図、（ｂ）Ｂ−Ｂ線断面図、（ｃ）Ｃ−Ｃ線断面図である。
【図１０】実施例３の配線保持構造にあって、配線コードＸを配線挿入口２２に通す時の、配線コードＸと保持片１８との当接態様を示す説明図である。
【図１１】変形例の配線保持構造を示す説明図である。
【図１２】（ａ）は、実施例４の配線保持部１５ａの斜視図であり、（ｂ）は、同配線保持部１５ａを、保持片１８を縦断して示す斜視図である。
【図１３】実施例４の配線保持構造を上方から見た斜視図である。
【図１４】実施例４の配線保持構造を、天板５を縦断して示す右側面図である。
【図１５】図１４中の（ａ）Ａ−Ａ線断面図、（ｂ）Ｂ−Ｂ線断面図、（ｃ）Ｃ−Ｃ線断面図である。
【図１６】（ａ）は、実施例４の配線保持構造の平面図であり、（ｂ）は、実施例４の配線保持構造を、天板５を縦断して示す右側面図である。
【図１７】実施例４の配線保持構造にあって、配線コードＸを配線保持部１５ａに挿入する手順を示す説明図である。
【図１８】図１７から続く、配線コードＸを配線保持部１５ａに挿入する手順を示す説明図である。
【図１９】従来の配線保持部１５０の斜視図である。
【図２０】従来の配線保持構造にあって、配線コードＸを配線挿入口２２０に通す時の、配線コードと保持片１８０との当接態様を示す説明図である。
【発明を実施するための形態】
【００１４】
本発明の実施形態を、以下の実施例に従って説明する。
【実施例１】
【００１５】
本実施例は、スロットマシンの筐体内部に配設されるリールユニットに関する配線コードを、リールユニットの天板の上面に保持する配線保持構造である。すなわち、本実施例にあっては、リールユニットの天板の上面が、本発明に係る保持板面に相当する。
【００１６】
図１は、スロットマシンのリールユニット１の斜視図である。リールユニット１は、枠体としてのフレーム２を備えている。該フレーム２は、矩形状の底部３と、該底部３の左右両端から各々立ち上がる左右一対の側部４と、該左右一対の側部４の上端間に水平に差し渡された天板５とを有している。天板５は、フレーム２の剛性を高めるべく、ガラス繊維が充填されたＡＢＳ樹脂製の板部材が好適に採用される。フレーム２の枠内には、ステッピングモータ（図示省略）が取り付けられており、該ステッピングモータの回動軸にリール７が接続されている。また、フレーム２の枠内には、リール７の回転角度を光学的に検知する回転検知センサ（図示省略）が配設される。
【００１７】
図１に示すように、天板５の上面には、横長矩形状の基板ケース９が装着され、該基板ケース９に、リール７の回転を制御するリール制御基板（図示省略）が収容される。リール制御基板には、ステッピングモータや回転検知センサと接続する配線コードや、遊技を制御するメイン制御基板（図示省略）と接続する配線コードが接続される。そして、図１に示すように、リールユニット１の天板５には、配線コードを天板５の上面に纏めて保持するための配線保持部１５が配設される。配線保持部１５は、天板５の上面の右側部と左側部に２箇所ずつ設けられており、図２に示すように、夫々の配線保持部１５に、複数本の配線コードＸを左右方向に横たえた状態で保持し得るようになっている。そして、個々の配線保持部１５には、当該配線保持部１５に配線コードＸを保持するための配線保持構造が配設される。４箇所の配線保持部１５に配設される配線保持構造は全て同じものである。
【００１８】
図２，３に示すように、配線保持部１５に配設される配線保持構造は、天板５と一体成形される保持片１８により構成される。保持片１８は、配線保持部１５の上を、配線保持部１５ａの奥側から手前側に跨ぐように延出して、配線保持部１５の配線コードＸを天板５の上方から覆うように保持する。また、保持片１８の先端は開放端となっており、保持片１８は、配線保持部１５の手前側に、配線コードＸを配線保持部１５に挿入するための狭幅な配線挿入口２２を形成する。保持片１８は、平面視矩形状をなす舌片であり、起立部４０と、水平延出部４１と、近接延出部４２とで構成される。起立部４０は、天板５の上面の、配線保持部１５の奥側に立設される。水平延出部４１は、起立部４０の上端から手前側に水平に延出して、配線保持部１５を上方から覆っている。近接延出部４２は、水平延出部４１の先端から斜め下方に延出した後に、斜め上方に延出する側面視Ｖ字状をなしており、近接延出部４２の屈曲部と天板５との間に配線挿入口２２が形成される。かかる保持片１８は、上下方向に撓ませることにより、先端側の近接延出部４２を上下方向に傾動させ得るよう構成されている。また、天板５には、保持片１８と上下に対向する部位に、矩形状の開口部４４が形成される。かかる開口部４４は、天板５と保持片１８の射出成形による一体成形を容易とするためのものである。なお、本発明に係る配線保持部は、本実施例のように天板５に形成された開口部４４の上に設けられるものを含む。すなわち、本発明に係る保持板面上は、板材の上に限らず、板材に形成された開口部の上を含む。
【００１９】
図２，３に示すように、配線保持部１５は、３本の配線コードＸを左右方向に横たえた状態で保持するよう構成されたものである。配線保持部１５に保持される３本の配線コードＸは、同じワイヤハーネスを構成するものであり、３本の配線コードＸの両端は、共通のコネクタ（図示省略）と接続されている。図２に示すように、配線保持部１５の奥側は保持片１８の起立部４０によって覆われ、上側には保持片１８の水平延出部４１によって覆われており、配線保持部１５には、配線保持部１５の手前側に形成された配線挿入口２２からのみ、配線コードＸを挿入可能となっている。なお、後述するように、本実施例の配線保持構造は、ワイヤハーネスの交換修理や再利用を可能とするために、配線保持部１５に保持した配線コードＸを容易に抜き取り得るよう構成されている。
【００２０】
図３に示すように、配線挿入口２２は、配線保持部１５の手前側で、天板５と保持片１８の隙間が最も狭くなる部分であり、保持片１８の近接延出部４２の屈曲部と天板５との間に形成される。配線挿入口２２の幅Ｗは、常態（保持片１８が撓んでいない状態）では、配線コードＸの直径Ｄよりも狭くなっている。このため、天板５に加わる振動や衝撃によって、配線保持部１５に保持した配線コードＸが配線保持部１５から抜け落ちることはない。このように、配線挿入口２２は、常態では、配線コードＸが通過困難な幅となっているが、保持片１８の先端側を上方に撓ませることにより、配線コードＸが通過容易な幅に拡幅させることができる。
【００２１】
図３に示すように、配線挿入口２２を形成する保持片１８の近接延出部４２は、側面視Ｖ字状をなしており、配線挿入口２２の手前側と奥側では、天板５と保持片１８の間隔が、配線挿入口２２に向けて先細りとなっている。このため、配線コードＸを配線保持部１５に挿脱する際は、図４に示すように、配線コードＸを天板５に沿って配線挿入口２２へ押し込めば、配線コードＸが近接延出部４２を押圧して保持片１８が上方に撓むことにより、配線挿入口２２を配線コードＸの直径Ｄ以上の幅に拡幅させることができる。このように、かかる配線保持構造では、天板５に沿って配線コードＸを配線挿入口２２に押し込むことによって、配線コードＸが配線挿入口２２を通過可能となるため、配線コードＸを配線保持部１５に対して挿抜する際には、配線コードＸを保持片１８の近接延出部４２に押し当てることが必要となる。
【００２２】
本実施例の配線保持構造にあっては、図５（ａ）〜５（ｃ）に示すように、保持片１８の近接延出部４２の両側縁は、天板５の上面側の角部４６がアール形状をなし、丸みを帯びている。配線コードＸの挿抜に際して、配線コードＸを保持片１８の近接延出部４２に押し当てた時には、図６に示すように、配線コードＸが保持片１８の当該角部４６と当接することとなるが、本実施例では、かかる角部４６がアール形状をなしており、配線コードＸと角部４６の当接する面積が従来構成に比べて広くなるため、配線コードＸの被覆に加わる負荷が従来構成に比べて分散される。したがって、本実施例にあっては、配線コードＸを配線挿入口２２に通す際に、配線コードＸを近接延出部４２に強く押し当てたとしても、近接延出部４２の角部４６で配線コードＸの被覆が破れ難いという利点がある。
【実施例２】
【００２３】
本実施例は、上記実施例１の配線保持構造を一部変更したものである。なお、以下に説明する変更箇所以外の構成は実施例１と共通であるため、共通する構成については、本文及び図中で同一符号を付して詳細な説明を省略する。
上記実施例１では、保持片１８の近接延出部４２の両側縁は、天板５の上面側の角部４６がアール形状をなしているのに対して（図６参照）、本実施例は、図７に示すように、同じ角部４６を、アール形状に替えて、面取りしたことを特徴とする。本実施例にあっては、図７に示すように、面取りによって角部４６に形成された斜面に配線コードＸが当接することにより、配線コードＸと角部４６の当接する面積が従来構成に比べて広くなるため、配線コードＸの被覆に加わる負荷が従来構成に比べて分散される。したがって、本実施例にあっても、配線コードＸを配線挿入口２２に通す際に、配線コードＸを近接延出部４２に強く押し当てたとしても、近接延出部４２の角部４６で配線コードＸの被覆が破れ難いという利点がある。
【実施例３】
【００２４】
本実施例は、上記実施例１から、保持片１８の近接延出部４２の両側縁の形状を変更したものである。なお、その他の構成は実施例１と共通であるため、共通する構成については、本文及び図中で同一符号を付して詳細な説明を省略する。
【００２５】
図８に示すように、本実施例にあっても、配線挿入口２２の幅Ｗは、常態で、配線コードＸの直径Ｄよりも狭くなっているため、配線コードＸを配線挿入口２２に通すためには、配線コードＸを近接延出部４２に押し当てて保持片１８を上方に撓ませて、配線挿入口２２を拡幅させる必要がある。ここで、本実施例では、図９に示すように、保持片１８の近接延出部４２の両側縁には、天板５の上面側に、天板５の上面に向けて縮幅する階段状の角部４６ａが形成されており、当該角部４６ａには、直角に角張った２段の角４９ａ，４９ｂが内外に形成される。かかる階段状の角部４６ａは、近接延出部４２の全長に亘って連続しており、当該角部４６ａには、２段の角４９ａ，４９ｂの間に、保持片１８の延出方向に沿って延びる一筋の溝４８が形成されている。
【００２６】
かかる構成によれば、図１０に示すように、配線コードＸを近接延出部４２に押し当てた時に、配線コードＸが、角部４６の内外の角４９ａ，４９ｂと２箇所で当接するため、配線コードＸの被覆に加わる負荷が二分される。したがって、本実施例にあっても、配線コードＸを配線挿入口２２に通す際に、配線コードＸを近接延出部４２に強く押し当てたとしても、近接延出部４２の角部４６ａで配線コードＸの被覆が破れ難いという利点がある。
【００２７】
また、本実施例を、上記実施例１，２と比較すると、実施例１，２（図６，７参照）では、配線コードＸと角部４６が１箇所で面接触するため、配線コードＸを配線挿入口２２に通す際に、角部４６との摩擦によって配線コードＸがねじれて断線することが懸念される。これに対して、本実施例（図１０参照）では、配線コードＸと保持片１８の角部４６ａが２箇所で当接するため、配線コードＸを近接延出部４２に強く押し付けた時に、配線コードＸがねじれ難く、配線コードＸが断線するおそれがないという利点がある。
【００２８】
図１１（ａ）〜１１（ｃ）は、上記実施例３の配線保持構造を一部変更した変形例の配線保持構造である。以下、各変形例について説明するが、以下に説明する変更箇所以外の構成は実施例３と共通であるため、共通する構成については、本文及び図中で同一符号を付して詳細な説明を省略する。
【００２９】
図１１（ａ）は、保持片１８の近接延出部４２の両側縁の形状を変更した変形例である。具体的には、本変形例では、近接延出部４２の両側縁の、天板５の上面側の角部４６ｂが３段の階段状となっており、当該角部４６ｂには、３段の角４９ａ，４９ｂ，４９ｃが内側と外側と中央に形成されている。かかる変形例にあっては、配線コードＸを近接延出部４２に押し当てた時に、配線コードＸが角部４６ｂの３つの角４９ａ，４９ｂ，４９ｃと３箇所で当接するため、配線コードＸの被覆に加わる負荷を三分することができる。このように、本発明に係る階段状の角部は、２段に限らず、３段以上の階段状であってもよい。
【００３０】
図１１（ｂ）は、保持片１８の近接延出部４２の形状を変更した変形例である。具体的には、本変形例では、近接延出部４２には、天板５の上面と対向する側の中央部に、幅広な凹溝４７が形成される。本変形例のように、本発明に係る保持片は、両側縁に階段状の角部が形成されてさえいれば、中央部の形状は特に限定されず、適宜変更することが可能である。
【００３１】
図１１（ｃ）は、階段状の角部４６ａの内外の角４９ａ，４９ｂに丸みを付与した変形例である。このように、本発明に係る階段状の角部は、一部又は全ての角に丸みが付与されていてもかまわない。また、上記実施例３では、階段状の角部４６ａは、直角に屈曲しているが、本発明に係る階段状の角部は、角が直角に屈曲したものには限られず、角が鋭角や鈍角に屈曲したものであってもよい。
【実施例４】
【００３２】
本実施例は、上記実施例３から、配線保持部の位置、及び、配線保持構造の構成を変更したものである。なお、以下の説明で言及しない構成は実施例３と共通である。このため、共通する構成については、本文及び図中で同一符号を付して詳細な説明を省略する。
【００３３】
本実施例では、図１２に示すように、配線保持部１５ａは、天板５の上面の、基板ケース９の手前側に設けられる。かかる配線保持部１５ａは、３本の配線コードＸを左右方向に横たえた状態で保持するよう構成されたものである。配線保持部１５ａに保持される３本の配線コードＸは、同じワイヤハーネスを構成するものであり、３本の配線コードＸの両端は、共通のコネクタ（図示省略）と接続されている。配線保持部１５ａに配線コードＸを保持するための配線保持構造は、基板ケース９の手前側端部１７と、該手前側端部１７から手前側に延出する保持片１８ａと、天板５の上面に形成されて、保持片１８ａの左右両側縁に沿って前後に延びる一対の嵩上げリブ２０とによって構成される。なお、天板５の上面には、配線保持部１５ａの周囲に、左右方向に延びる補強リブ２１も形成されているが、かかる補強リブ２１は、天板５を補強する専用のリブであり、配線コードＸの保持機能を有するものではない。また、後述するように、本実施例の配線保持構造は、ワイヤハーネスの交換修理や再利用を可能とするために、配線保持部１５ａに保持した配線コードＸを抜き取り得るよう構成されている。
【００３４】
図１２〜１５に示すように、保持片１８ａは、基板ケース９と一体成形されるものであり、配線保持部１５ａの上を、配線保持部１５ａの奥側から手前側に跨ぐように延出して、配線保持部１５ａの配線コードＸを天板５の上方から覆うように保持するとともに、配線保持部１５ａの手前側に、配線コードＸを配線保持部１５ａに挿入するための狭幅な配線挿入口２２を形成する。保持片１８ａは、平面視矩形状をなす舌片であり、基板ケース９の手前側端部１７から手前側に水平に延出して配線保持部１５ａの上を覆う水平延出部２３と、該水平延出部２３の先端で上方に屈曲して、手前側に向けて斜め上方に延出する離間延出部と、該離間延出部の先端から略水平に延出する最先端部２５とで構成される。そして、かかる保持片１８ａは、水平延出部２３を上下に撓ませることにより、離間延出部及び最先端部２５を上下方向に傾動させ得るよう形成されている。また、保持片１８ａには、水平延出部２３の先端に、天板５の上面方向に突出する小突部２６が形成され、保持片１８ａの基端側には、保持片１８ａを補強するための補強用リブ２７が形成されている。
【００３５】
前記一対の嵩上げリブ２０は、図１２〜１５に示すように、天板５の上面にあって、保持片１８ａの左側縁と右側縁に沿うように前後に形成される。嵩上げリブ２０は、天板５と一体成形されるものであり、一対の嵩上げリブ２０は、保持片１８ａを中心に対称位置に設けられ、かつ、対称形状をなしている。嵩上げリブ２０は、基板ケース９の手前側から保持片１８ａの全長に亘って形成され、天板５の前端まで延びている。詳述すると、嵩上げリブ２０は、基板ケース９の手前側から配線保持部１５ａを横切るように形成された比較的低い低壁部２９と、配線保持部１５ａの手前側に形成された比較的高い高壁部３１と、低壁部２９と高壁部３１の間に形成されて、低壁部２９の高さから高壁部３１の高さまで連続的に傾斜する傾斜壁部３０とによって構成される。なお、図１３に示すように、嵩上げリブ２０は、保持片１８ａの両側縁の外側に形成されており、保持片１８ａと上下方向には重なっていない。
【００３６】
図１２，１３に示すように、配線挿入口２２は、配線保持部１５ａの手前側にあって、保持片１８ａの側縁部と嵩上げリブ２０の上端部の間に形成される、保持片１８ａと嵩上げリブ２０の隙間が最も狭くなる部分である。かかる配線挿入口２２は、図１４，１５（ｂ）に示すように、常態（保持片１８ａが撓んでいない状態）で、保持片１８ａの水平延出部２３の先端側と離間延出部２４の基端側が、嵩上げリブ２０の傾斜壁部３０と左右に重なる部分に形成される。配線挿入口２２は、振動や衝撃等によって配線コードＸが配線保持部１５ａから脱落しないように、常態では、配線コードＸが通過困難な幅となっているが、保持片１８ａを上方に撓ませることにより、配線コードＸが通過容易な幅に拡幅させることができる。
【００３７】
配線挿入口２２について詳述すると、図１６（ａ），１６（ｂ）に示すように、常態では、保持片１８ａと嵩上げリブ２０とは、配線コードＸの直径Ｄの２倍以上の前後長Ｌに亘って左右に重なっている。そして、保持片１８ａと嵩上げリブ２０が左右に重なる部位では、保持片１８ａと嵩上げリブ２０の隙間が、配線コードＸの直径Ｄよりも狭い一定幅Ｗとなっている。このため、配線挿入口２２は、常態では、配線コードＸの直径Ｄよりも狭い一定幅Ｗを有し、配線コードＸの直径Ｄの２倍以上の長さＬに亘って前後に連続するスリット状をなしている。このように、配線挿入口２２は、常態では配線コードＸが通過不能な形状となっているが、図１４に示すように、保持片１８ａを上方に撓ませて、配線挿入口２２を配線コードＸの直径以上の幅に拡幅させることで、配線コードＸを配線挿入口２２に容易に通過させることができる。
【００３８】
図１４に示すように、配線挿入口２２の手前側では、配線挿入口２２に向けて下方傾斜する保持片１８ａの離間延出部２４と、嵩上げリブ２０の水平な高壁部３１とによって、保持片１８ａと嵩上げリブ２０の間隔が配線挿入口２２に向けて先細りとなるよう構成されている。かかる構成によれば、配線コードＸを外部から配線挿入口２２に通す際に、離間延出部２４と高壁部３１の案内作用によって、配線コードＸを狭幅な配線挿入口２２まで容易に到達させることができる。さらには、離間延出部２４と高壁部３１の間の狭幅となった部分に配線コードＸを押し入れて保持片１８ａを上方に撓ませることで、配線挿入口２２を配線コードＸが通過可能な幅に拡幅させることができる。
【００３９】
また、図１４に示すように、配線挿入口２２の奥側では、水平な保持片１８ａの水平延出部２３と、配線挿入口２２に向けて上方傾斜する嵩上げリブ２０の傾斜壁部３０とによって、保持片１８ａと嵩上げリブ２０の間隔が配線挿入口２２に向けて先細りとなるよう構成されている。かかる構成によれば、配線コードＸを配線保持部１５ａから配線挿入口２２に通す際に、水平延出部２３と傾斜壁部３０の案内作用によって、配線コードＸを狭幅な配線挿入口２２まで容易に到達させることができる。さらには、水平延出部２３と傾斜壁部３０の間の狭幅となった部分に配線コードＸを押し入れて保持片１８ａを上方に撓ませることで、配線挿入口２２を配線コードＸが通過可能な幅に拡幅させることができる。
【００４０】
図１７，１８を参照して、配線保持部１５ａに配線コードＸを挿抜する手順について具体的に説明する。なお、上述したように、配線保持部１５ａに保持する３本の配線コードＸは、同じワイヤハーネスを構成するものであるため、３本の配線コードＸは一纏めにして配線保持部１５ａに対して挿抜する。
【００４１】
配線コードＸを配線保持部１５ａに挿入する際には、まず、図１７（ａ）に示すように、嵩上げリブ２０の外側（両側又は片側）で配線コードＸを摘まんで、保持片１８ａの最先端部２５と嵩上げリブ２０の高壁部３１の間に挿入する。そして、かかる状態で、配線コードＸを奥側に押し込むと、図１７（ｂ）に示すように、離間延出部２４と高壁部３１の案内作用によって、配線コードＸを配線挿入口２２まで容易に到達させることができる。さらには、離間延出部２４と高壁部３１の間の狭幅となった部分に配線コードＸを押し入れて保持片１８ａを上方に撓ませることで、配線挿入口２２を配線コードＸが通過容易な幅に拡幅させることができる。このため、摘まんだ配線コードＸをさらに奥側に押し込めば、図１８（ａ）→１８（ｂ）→１８（ｃ）に示すように、拡幅した配線挿入口２２を通過させて、配線コードＸを配線保持部１５ａまで挿入することができる。
【００４２】
配線コードＸを配線保持部１５ａから抜き取る際には、挿入時と逆の手順を行う。すなわち、図１８（ｃ）→１８（ｂ）に示すように、配線保持部１５ａに保持した配線コードＸを、嵩上げリブ２０の外側（両側又は片側）で摘まんで手前側に引き上げる。これにより、水平延出部２３と傾斜壁部３０の案内作用によって、配線コードＸを配線挿入口２２まで容易に到達させることができる。さらには、水平延出部２３と傾斜壁部３０の間の狭幅となった部分に配線コードＸを押し入れて保持片１８ａを上方に撓ませることで、配線挿入口２２を配線コードＸが通過容易な幅に拡幅させることができる。このため、摘まんだ配線コードＸをさらに手前側に引き上げれば、図１８（ａ）→１７（ｂ）→１７（ａ）に示すように、拡幅した配線挿入口２２を通過させて、配線コードＸを配線保持部１５ａから抜き取ることができる。
【００４３】
このように、本実施例の配線保持構造では、保持片１８ａと嵩上げリブ２０の間隔は、手前側から配線挿入口２２に向けて先細りとなるよう形成されている。このため、配線コードＸを手前側から配線挿入口２２に向けて押し込むだけで、配線コードＸが通過可能な幅にまで配線挿入口２２を拡幅させて、配線コードＸを配線保持部１５ａに挿入できる。また、本実施例の配線保持構造では、保持片１８ａと嵩上げリブ２０の間隔は、配線保持部１５ａから配線挿入口２２に向けて先細りとなるよう形成されている。このため、配線コードＸを配線保持部１５ａから手前側に引き上げるだけで、配線コードＸが通過可能な幅にまで配線挿入口２２を拡幅させて、配線コードＸを配線保持部１５ａから抜き取ることができる。
【００４４】
また、本実施例では、配線挿入口２２が、保持片１８ａと嵩上げリブ２０の端部の間に形成されて、嵩上げリブ２０の高さ分だけ天板５の上面から離れた位置に形成されている。このため、図１７，１８に示すように、配線コードＸを配線挿入口２２に通す際に、指を天板５の上面と干渉させることなく、配線コードＸを指の腹部分でしっかりと摘まんで作業できるという利点がある。
【００４５】
また、本実施例では、保持片１８ａが、手前側に向けて斜め上方に延出する離間延出部２４と、略水平に延出する水平延出部２３及び最先端部２５とで構成されており、保持片１８ａの全ての部分において、天板５の上面に近接しない方向に延出している。かかる構成によれば、配線保持部１５ａの配線コードＸを配線挿入口２２に向けて斜め上方に引き上げることで、該配線コードＸを保持片１８ａに引っ掛けることなく配線挿入口２２に通すことができる。このため、本実施例の配線保持構造によれば、配線コードＸを斜め上方に引き上げるという一段階の操作で、配線保持部１５ａから配線コードＸを抜き取ることが可能となる。
【００４６】
また、本実施例では、嵩上げリブ２０は、傾斜壁部３０の形成部位において、配線保持部１５ａから配線挿入口２２に向けて上り傾斜している。かかる構成によれば、配線保持部１５ａから配線コードＸを抜き取る際に、傾斜壁部３０が配線コードＸを配線挿入口２２の高さに案内する作用を発揮するため、配線コードＸを嵩上げリブ２０に引っ掛けることなく、配線コードＸを配線保持部１５ａから円滑に抜き取ることができる。
【００４７】
また、本実施例では、配線挿入口２２は、常態では、配線コードＸの直径Ｄよりも狭い幅Ｗを有し、保持片１８ａの側縁に沿って配線コードＸの直径Ｄの２倍以上の長さＬに亘って連続するスリット状をなしている。かかる構成によれば、配線コードＸを配線挿入口２２に通す際に、拡幅した配線挿入口２２を先の配線コードＸが通過し終える前に、次の配線コードＸを配線挿入口２２に進入させて保持片１８ａと嵩上げリブ２０の間に挟むことによって、先の配線コードＸが通過し終えた後に配線挿入口２２が常態に戻るのを阻止できる。このため、本実施例にあっては、配線挿入口２２を常態から何度も拡幅させることなく、配線挿入口２２に複数本の配線コードＸを効率的に通すことができる。
【００４８】
また、本実施例では、嵩上げリブ２０は、配線保持部１５ａの手前側に形成されるだけでなく、配線保持部１５ａを奥側から手前側に横断するように形成されており、配線コードＸは、配線保持部１５ａにおいて、嵩上げリブ２０の低壁部２９の高さ分だけ、天板５の上面より上方に保持される。このため、本実施例では、配線コードＸを配線保持部１５ａから抜き取る際に、配線保持部１５ａに保持した配線コードＸを指の先端でなく、指の腹の部分でしっかりと摘まむことができるという利点がある（図１８（ｃ）参照）。
【００４９】
また、本実施例では、図１４に示すように、保持片１８ａの水平延出部２３の先端に、天板５の上面方向に突出する小突部２６が形成されている。かかる構成にあっては、配線コードＸを配線保持部１５ａに挿入する際に、小突部２６の部分で軽い手応えが得られるため、配線コードＸを配線保持部１５ａまで正常に挿入したことを、作業者が手応えで確実に確認できるという利点がある。ここで、かかる小突部２６は、図１５（ｂ）に示すように、保持片１８ａの両側縁よりも内側に形成される。このため、小突部２６が形成される部位において、保持片１８ａの両側縁には、天板５の上面側に、天板５の上面に向けて縮幅する階段状の角部４６ｃが形成され、当該角部４６ｃには、２段の角が内側と外側に形成される。かかる構成によれば、配線コードＸが小突部２６に当接した時に、配線コードＸが角部４６ｃの内外の角と２箇所で当接するため、配線コードＸの被覆に加わる負荷が二分される。したがって、本実施例にあっては、配線コードＸを配線挿入口２２に通す際に、配線コードＸを保持片１８ａの小突部２６に強く押し当てたとしても、保持片１８ａの角部４６ｃで、配線コードＸの被覆が破れ難いという利点がある。このように、本発明は、保持片の両側縁の角部のうち、配線コードが強く当接することとなる部分のみを、局所的に階段状に形成したものであってもよい。
【００５０】
また、本実施例の配線保持構造は、配線保持部１５ａの手前側に配線挿入口２２が形成されるため、配線保持部１５ａの上方に配線挿入口を形成する従来構成に比べて、天板５に対する配線保持構造の高さを抑えることができ、配線保持構造が嵩張らない分だけ天板５の上方のスペースを他の用途に活用できるという利点がある。
【００５１】
また、本実施例では、嵩上げリブ２０は、配線保持構造として機能するだけでなく、天板５を補強する機能も有しているため、嵩上げリブ２０を配設した分だけ、天板５の厚さを薄くしたり、天板を補強する専用のリブの本数を削減したりすることが可能となる。
【００５２】
以上に本発明の実施例を説明したが、本発明の遊技機用配線保持構造は、上記実施例の形態に限らず本発明の要旨を逸脱しない範囲内において種々変更を加えることができる。
【００５３】
例えば、上記実施例は、スロットマシンのリールユニットの天板上面を、本発明に係る保持板面とする例であるが、本発明に係る保持板面は、前扉の裏面や基板ケースの表面であってもよい。すなわち、本発明に係る保持板面は、天板上面のような水平面に限られず、傾斜面や垂直面であってもよい。また、本発明は、スロットマシンの配線保持構造に限らず、パチンコ機の配線保持構造にも同様にして適用可能である。
【００５４】
また、上記実施例に係る配線保持部１５は、１組のワイヤハーネスを構成する３本の配線コードＸを保持するものであるが、本発明に係る配線保持部に保持する配線コードの本数や種類、太さ、形状は特に限定されず、複数の配線コードを一体的に束ねたものであってもよい。
【符号の説明】
【００５５】
５  天板
９  基板ケース
１５，１５ａ，１５０  配線保持部
１７  手前側端部
１８，１８ａ，１８０  保持片
２０  嵩上げリブ
２２，２２０  配線挿入口
２３  水平延出部
２４  離間延出部
２５  最先端部
２６  小突部
２８  近接延出部
２９  低壁部
３０  傾斜壁部
３１  高壁部
４０  起立部
４１  水平延出部
４２  近接延出部
４４  開口部
４６，４６ａ，４６ｂ，４６ｃ，４６０  角部
４７  凹溝
４８  溝
４９ａ，４９ｂ，４９ｃ  角
５０  保持板面
Ｘ  配線コード
【図１】
2018093971.tif 000003
【図２】
2018093971.tif 000004
【図３】
2018093971.tif 000005
【図４】
2018093971.tif 000006
【図５】
2018093971.tif 000007
【図６】
2018093971.tif 000008
【図７】
2018093971.tif 000009
【図８】
2018093971.tif 000010
【図９】
2018093971.tif 000011
【図１０】
2018093971.tif 000012
【図１１】
2018093971.tif 000013
【図１２】
2018093971.tif 000014
【図１３】
2018093971.tif 000015
【図１４】
2018093971.tif 000016
【図１５】
2018093971.tif 000017
【図１６】
2018093971.tif 000018
【図１７】
2018093971.tif 000019
【図１８】
2018093971.tif 000020
【図１９】
2018093971.tif 000021
【図２０】
2018093971.tif 000022
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持片の側縁の少なくとも一部には、前記保持板面側に階段状の角部が形成されていることを特徴とする遊技機用配線保持構造。